(57)【要約】【課題】ディジタル加入者線収容機器のポート数よりも多くのユーザにインターネット接続サービスを提供する。【解決手段】複数のインターネット接続サービスの契約者に対するインターネット接続サービスの提供を開始するタイミングとサービスの提供を停止するタイミングとを示すスケジュールが格納された格納手段１と、格納手段１に格納されたスケジュールにもとづいて、複数のサービスの契約者の加入者線のうち、インターネットに接続されたディジタル加入者線収容機器に接続させる加入者線を決定する接続決定手段２と、接続決定手段２の決定にもとづいて、加入者線とディジタル加入者線収容機器４とを接続する接続手段５とを備える。【選択図】図１０
2011142461.tif 000002
【特許請求の範囲】
【請求項１】
複数のインターネット接続サービスの契約者に対するインターネット接続サービスの提供を開始するタイミングと前記サービスの提供を停止するタイミングとを示すスケジュールが格納された格納手段と、
前記格納手段に格納されたスケジュールにもとづいて、前記複数のサービスの契約者の加入者線のうち、インターネットに接続されるディジタル加入者線収容機器に接続させる加入者線を決定する接続決定手段と、
前記接続決定手段の決定にもとづいて、加入者線と前記ディジタル加入者線収容機器とを接続する接続手段とを備えた
ことを特徴とするサービス提供先切り替えシステム。
【請求項２】
格納手段に格納されたスケジュールによって示されるインターネット接続サービスの提供を開始するタイミングで、接続決定手段がディジタル加入者線収容機器に接続させると決定した加入者線と前記ディジタル加入者線収容機器とを接続させる指示を接続手段に入力する制御手段を含む
請求項１記載のサービス提供先切り替えシステム。
【請求項３】
制御手段は、格納手段に格納されたスケジュールによって示されるインターネット接続サービスの提供を停止するタイミングで、接続手段によってディジタル加入者線収容機器に接続されている加入者線の接続先を電話回線網に接続されている電話交換機に切り替える指示を前記接続手段に入力する
請求項２記載のサービス提供先切り替えシステム。
【請求項４】
接続手段は、接続決定手段がディジタル加入者線収容機器に接続させると決定した加入者線以外の加入者線と、電話回線網に接続されている電話交換機とを接続する
請求項１から請求項３のうちいずれか１項記載のサービス提供先切り替えシステム。
【請求項５】
接続手段は、ディジタル加入者線収容機器に接続された加入者線を介して送信された音声信号を電話回線網に接続されている電話交換機に入力する
請求項１から請求項４のうちいずれか１項記載のサービス提供先切り替えシステム。
【請求項６】
コンピュータに、
複数のインターネット接続サービスの契約者に対するインターネット接続サービスの提供を開始するタイミングと前記サービスの提供を停止するタイミングとを示すスケジュールが格納された格納手段に格納されたスケジュールにもとづいて、前記複数のサービスの契約者の加入者線のうち、インターネットに接続されるディジタル加入者線収容機器に接続させる加入者線を決定する接続決定処理と、
前記格納手段に格納されたスケジュールによって示されるインターネット接続サービスの提供を開始するタイミングで、前記接続決定処理でディジタル加入者線収容機器に接続させると決定した加入者線と前記ディジタル加入者線収容機器とを接続させる指示を契約者の加入者線と前記ディジタル加入者線収容機器とを接続する接続手段に入力する制御処理とを実行させる
ためのサービス提供先切り替えプログラム。
【請求項７】
コンピュータに、
制御処理で、格納手段に格納されたスケジュールによって示されるインターネット接続サービスの提供を停止するタイミングで、接続手段によってディジタル加入者線収容機器に接続されている加入者線の接続先を電話回線網に接続されている電話交換機に切り替える指示を前記接続手段に入力させる
請求項６記載のサービス提供先切り替えプログラム。
【請求項８】
格納手段に格納された複数のインターネット接続サービスの契約者に対するインターネット接続サービスの提供を開始するタイミングと前記サービスの提供を停止するタイミングとを示すスケジュールにもとづいて、前記複数のサービスの契約者の加入者線のうち、インターネットに接続されるディジタル加入者線収容機器に接続させる加入者線を決定し、
前記決定にもとづいて、契約者の加入者線と前記ディジタル加入者線収容機器とを接続する
ことを特徴とするサービス提供先切り替え方法。
【請求項９】
格納手段に格納されたスケジュールによって示されるインターネット接続サービスの提供を停止するタイミングで、ディジタル加入者線収容機器に接続されている加入者線の接続先を電話回線網に接続されている電話交換機に切り替える
請求項８記載のサービス提供先切り替え方法。
【発明の詳細な説明】
【技術分野】
【０００１】
本発明は、インターネット接続サービスのサービス提供先切り替えシステム、サービス提供先切り替えプログラムおよびサービス提供先切り替え方法に関する。
【背景技術】
【０００２】
電話回線を非対称ディジタル加入者線（ＡＤＳＬ：Asymmetric Digital Subscriber Line）として利用したＡＤＳＬ通信が行われている。ＡＤＳＬ通信では、ＶｏＩＰ（Voice over Internet Protocol）電話を含むデータ通信を行うことができる。通信事業者は、ＡＤＳＬ通信によるインターネット接続サービスを提供するために、ユーザによって操作される端末とインターネットに接続された端末との間で行われるデータの送受信を取り持つディジタル加入者線収容機器（ＤＳＬＡＭ：Digital Subscriber Line Access Multiplexer）を加入者交換局に設置する。
【０００３】
図１１は、通信モデルの構成例を示すブロック図である。図１１に示す通信モデルでは、非対称ディジタル加入者線（ＡＤＳＬ）モデム５６が電話回線を介してディジタル加入者線収容機器（ＤＳＬＡＭ）５８に接続され、電話機５７が電話交換機５９に接続されている。
【０００４】
ＡＤＳＬモデム５６は、ユーザ宅５１に設置されている。電話機５７は、ユーザ宅５２に設置されている。ユーザ宅５１のユーザＡは、ＡＤＳＬ通信によるインターネット接続サービスの提供に関する契約（ＡＤＳＬの通信契約）を通信事業者と結んでいる。ユーザ宅５２のユーザＢは、通信事業者とＡＤＳＬの通信契約を結んでいない。
【０００５】
ＤＳＬＡＭ５８および電話交換機５９は、加入者交換局５３に設置されている。ＤＳＬＡＭ５８は、インターネット５４に接続されている。電話交換機５９は、電話回線網５５に接続されている。ＤＳＬＡＭ５８には、電話に使用される周波数帯域（電話帯域）の信号とＡＤＳＬ通信に使用される周波数帯域（ＡＤＳＬ帯域）の信号とを分離するスプリッタ（図示せず）が内蔵されているとする。ＤＳＬＡＭ５８は、ＡＤＳＬモデム５６から送信された信号を受信すると、電話帯域の信号を電話交換機５９に送信し、ＡＤＳＬ帯域の信号をインターネット５４に接続された端末に送信する。また、ＤＳＬＡＭ５８は、電話交換機５９から送信された信号とインターネット５４に接続された端末から送信された信号とを重畳し、ＡＤＳＬモデム５６に送信する。
【０００６】
図１１に示す通信モデルでは、ユーザＡは、ＤＳＬＡＭ５８を介して、ＡＤＳＬ通信によるデータ通信と電話回線機５９を介した通話とを行うことができる。ユーザＢは、ＡＤＳＬ通信によるデータ通信を行うことはできず、電話交換機５９を介した通話を行うことができる。ＤＳＬＡＭ５８は所定数のＡＤＳＬ回線のポートを有するが、所定数を超える数のユーザに同時にＡＤＳＬ通信の接続サービスを提供することはできないので、通信事業者は、ＤＳＬＡＭ５８のＡＤＳＬ回線のポート数を超える数のユーザとＡＤＳＬの通信契約を結ぶことができない。
【０００７】
しかし、ＡＤＳＬの通信契約の契約者である各ユーザがＡＤＳＬ通信によるインターネット接続サービスを利用する時間帯や曜日は、ユーザごとに異なる。図１２は、ユーザによるＡＤＳＬ通信の利用時間帯の例を示す説明図である。図１２（Ａ）に示す例では、ユーザＤは、９：００〜１８：００まで利用し、ユーザＥは、２１：００〜６：００まで利用している。ユーザＦは、終日利用している。図１２（Ｂ）に示す例では、ユーザＧは平日に利用し、ユーザＨは土曜日および日曜日に利用している。ユーザＩは、毎日利用している。
【０００８】
特許文献１には、データ通信が行われていない場合に、電話回線をＤＳＬＡＭに接続せずに、電話交換機に接続するクロスポイントスイッチ装置が記載されている。また、特許文献２には、電話回線を給電線に交差接続する自動交差接続スイッチを備えた装置が記載されている。特許文献２に記載された装置は、データ通信サービスの契約がなされた場合に、データ通信サービスの契約者の電話回線とＤＳＬＡＭとを接続する。
【先行技術文献】
【特許文献】
【０００９】
【特許文献１】特開２００３−２１９４３９号公報（段落００８５−００９６）
【特許文献２】特開２００６−１０９４５３号公報（段落００７０−００７３）
【発明の概要】
【発明が解決しようとする課題】
【００１０】
特許文献１に記載された装置は、ユーザによってデータ通信が開始されるときに、ＤＳＬＡＭの空きポートを検索する。しかし、ＤＳＬＡＭのポート数よりも多くのユーザによって同時期にデータ通信が行われる場合には、全てのポートが使用中になるので、ポート数を超えた数のユーザはデータ通信サービスを利用することができなくなる。通信事業者は、そのような事態を防ぐために、ＤＳＬＡＭのＡＤＳＬ回線のポート数を超える数のユーザとＡＤＳＬの通信契約を結ぶことができない。
【００１１】
また、特許文献２に記載された装置を用いても、ＤＳＬＡＭのポート数よりも多くのユーザにデータ通信サービスを提供することはできない。
【００１２】
そこで、本発明は、ディジタル加入者線収容機器のポート数よりも多くのユーザにインターネット接続サービスを提供することができるサービス提供先切り替えシステム、サービス提供先切り替えプログラムおよびサービス提供先切り替え方法を提供することを目的とする。
【課題を解決するための手段】
【００１３】
本発明によるサービス提供先切り替えシステムは、複数のインターネット接続サービスの契約者に対するインターネット接続サービスの提供を開始するタイミングとサービスの提供を停止するタイミングとを示すスケジュールが格納された格納手段と、格納手段に格納されたスケジュールにもとづいて、複数のサービスの契約者の加入者線のうち、インターネットに接続されるディジタル加入者線収容機器に接続させる加入者線を決定する接続決定手段と、接続決定手段の決定にもとづいて、加入者線とディジタル加入者線収容機器とを接続する接続手段とを備えたことを特徴とする。
【００１４】
本発明によるサービス提供先切り替えプログラムは、コンピュータに、複数のインターネット接続サービスの契約者に対するインターネット接続サービスの提供を開始するタイミングとサービスの提供を停止するタイミングとを示すスケジュールが格納された格納手段に格納されたスケジュールにもとづいて、複数のサービスの契約者の加入者線のうち、インターネットに接続されるディジタル加入者線収容機器に接続させる加入者線を決定する接続決定処理と、格納手段に格納されたスケジュールによって示されるインターネット接続サービスの提供を開始するタイミングで、接続決定処理でディジタル加入者線収容機器に接続させると決定した加入者線とディジタル加入者線収容機器とを接続させる指示を契約者の加入者線とディジタル加入者線収容機器とを接続する接続手段に入力する制御処理とを実行させることを特徴とする。
【００１５】
本発明によるサービス提供先切り替え方法は、格納手段に格納された複数のインターネット接続サービスの契約者に対するインターネット接続サービスの提供を開始するタイミングとサービスの提供を停止するタイミングとを示すスケジュールにもとづいて、複数のサービスの契約者の加入者線のうち、インターネットに接続されるディジタル加入者線収容機器に接続させる加入者線を決定し、決定にもとづいて、契約者の加入者線とディジタル加入者線収容機器とを接続することを特徴とする。
【発明の効果】
【００１６】
本発明によれば、ディジタル加入者線収容機器のポートを複数のユーザで共有することができるので、ディジタル加入者線収容機器のポート数よりも多くのユーザにインターネット接続サービスを提供することができる。
【図面の簡単な説明】
【００１７】
【図１】本発明の第１の実施形態のサービス提供先切り替えシステムを含む通信モデルの構成例を示すブロック図である。
【図２】１つのＡＤＳＬ回線を時間帯に応じて２人のユーザが利用する例を示す説明図である。
【図３】図１に示すサービス提供先切り替えシステムの構成および電話回線の接続状態の例を示すブロック図である。
【図４】図１に示すサービス提供先切り替えシステムの電話回線の接続状態の他の例を示すブロック図である。
【図５】図１に示すサービス提供先切り替えシステムの動作の例を示すフローチャートである。
【図６】１つのＡＤＳＬ回線を利用して複数のユーザにインターネット接続サービスを提供する場合の例を示す説明図である。
【図７】１つのＡＤＳＬ回線を曜日に応じて２人のユーザが利用する例を示す説明図である。
【図８】本発明の第３の実施形態のサービス提供先切り替えシステムを含む通信モデルの構成例を示すブロック図である。
【図９】１つのＡＤＳＬ回線を時間帯に応じて３人のユーザが利用する例を示す説明図である。
【図１０】本発明によるサービス提供先切り替えシステムの主要部を示すブロック図である。
【図１１】通信モデルの構成例を示すブロック図である。
【図１２】ユーザによるＡＤＳＬ通信の利用時間帯の例を示す説明図である。
【発明を実施するための形態】
【００１８】
実施形態１．
図１は、本発明の第１の実施形態（実施形態１）のサービス提供先切り替えシステムを含む通信モデルの構成例を示すブロック図である。図１を参照して、本発明の第１の実施形態のサービス提供先切り替えシステムを含む通信モデルの構成を説明する。
【００１９】
図１に示す通信モデルでは、サービス提供先切り替えシステム２０に、それぞれ電話回線（加入者線）を介して非対称ディジタル加入者線（ＡＤＳＬ）モデム１６，１７が接続されている。また、サービス提供先切り替えシステム２０には、ディジタル加入者線収容機器（ＤＳＬＡＭ）１８、および電話交換機１９が接続されている。なお、電話回線をＡＤＳＬ通信に利用することを、ＡＤＳＬ回線を利用するという。
【００２０】
そして、ＤＳＬＡＭ１８は、インターネット１４に接続され、電話交換機１９は、電話回線網１５に接続されている。また、電話交換機１９は、電話の発着信を制御する。
【００２１】
ＤＳＬＡＭ１８、電話交換機１９およびサービス提供先切り替えシステム２０は、加入者交換局１３に設置される。加入者交換局１３は、通信事業者によって管理される。
【００２２】
ＡＤＳＬモデム１６は、ユーザ宅１１に設置されている。ＡＤＳＬモデム１７は、ユーザ宅１２に設置されている。ＡＤＳＬモデム１６を利用するユーザＡおよびＡＤＳＬモデム１７を利用するユーザＢは、通信事業者からＡＤＳＬ通信によるインターネット接続サービスの提供を受ける契約であるＡＤＳＬの通信契約を結んでいる。
【００２３】
ＡＤＳＬモデム１６，１７が、電話回線およびサービス提供先切り替えシステム２０を介して、インターネット１４に接続されたＤＳＬＡＭ１８に接続されているときには、各ＡＤＳＬモデムのユーザは、各ＡＤＳＬモデムに接続された端末（図示せず）を操作して、ＡＤＳＬ通信を利用したデータの送受信を行うこと、および各ＡＤＳＬモデムに接続された電話機（図示せず）を操作して、通話を行うことができる。また、ＡＤＳＬモデム１６，１７が、電話回線およびサービス提供先切り替えシステム２０を介して、電話回線網１５に接続された電話交換機１９に接続されているときには、各ＡＤＳＬモデムのユーザは、各ＡＤＳＬモデムに接続された電話機（図示せず）を操作して、通話を行うことができる。
【００２４】
ＤＳＬＡＭ１８は、サービス提供先切り替えシステム２０に接続される所定数のＡＤＳＬ回線のポートを有する。ＤＳＬＡＭ１８は、ＡＤＳＬ回線のポートにサービス提供先切り替えシステム２０を介してＡＤＳＬモデム１６の電話回線が接続された場合に、ＡＤＳＬモデム１６との間でＡＤＳＬリンクアップを行う。ＡＤＳＬモデム１６との間でＡＤＳＬリンクアップを行ったＤＳＬＡＭ１８は、ＡＤＳＬモデム１６がインターネット１４を介して行うＡＤＳＬ通信におけるデータの送受信を取り持つ。
【００２５】
ＤＳＬＡＭ１８として、電話帯域の信号（音声信号）とＡＤＳＬ帯域の信号とを分離するスプリッタ（図示せず）を内蔵したものを想定する。ＤＳＬＡＭ１８は、ＡＤＳＬモデム１６から送信された信号を受信すると、電話帯域の信号をサービス提供先切り替えシステム２０を介して電話交換機１９に送信し、ＡＤＳＬ帯域の信号をインターネット１４に接続された端末に送信する。
【００２６】
また、ＤＳＬＡＭ１８は、インターネット１４を介して送信された信号を受信し、サービス提供先切り替えシステム２０、および電話回線を介してＡＤＳＬモデム１６に送信する。また、ＤＳＬＡＭ１８は、電話回線網１５を介して電話交換機１９によって受信されてサービス提供先切り替えシステム２０を介して送信された電話帯域の信号をＡＤＳＬ帯域の信号に重畳して、サービス提供先切り替えシステム２０、および電話回線を介してＡＤＳＬモデム１６に送信する。つまり、ＤＳＬＡＭ１８がＡＤＳＬモデム１６との間でＡＤＳＬリンクアップを行ったとき、ユーザＡは、ＡＤＳＬ通信によるデータ通信と通話とを行うことができる。
【００２７】
サービス提供先切り替えシステム２０は、スケジュールに従って、複数のユーザ宅に設置されたそれぞれのＡＤＳＬモデムに接続された電話回線とＤＳＬＡＭ１８または電話交換機１９とを接続する。つまり、サービス提供先切り替えシステム２０は、ＡＤＳＬモデムに接続された電話回線をＤＳＬＡＭ１８または電話交換機１９のいずれか一方に接続する。また、ＤＳＬＡＭ１８が送信した電話帯域の信号は、サービス提供先切り替えシステム２０を介して電話交換機１９に送信される。
【００２８】
サービス提供先切り替えシステム２０は、例えば、ＡＤＳＬモデム１６に接続された電話回線とＤＳＬＡＭ１８とを接続する場合には、ＡＤＳＬモデム１７に接続された電話回線と電話交換機１９とを接続する。そして、サービス提供先切り替えシステム２０がＡＤＳＬモデム１６に接続された電話回線とＤＳＬＡＭ１８とを接続した場合には、サービス提供先切り替えシステム２０は、ユーザＢのＡＤＳＬモデム１７に接続された電話回線とＤＳＬＡＭ１８とを接続しない。従って、そのような場合に、ユーザＢのＡＤＳＬモデム１７は、ＡＤＳＬ通信によるデータ通信を行うことはできない。しかし、そのような場合に、サービス提供先切り替えシステム２０は、ユーザＢのＡＤＳＬモデム１７に接続された電話回線と電話交換機１９とを接続するので、ユーザＢは電話交換機１９を介して通話を行うことができる。
【００２９】
図２は、１つのＡＤＳＬ回線を時間帯に応じて２人のユーザが利用する例を示す説明図である。ユーザＡは、６：００〜１８：００までＡＤＳＬ回線を利用でき、他の時間帯にＡＤＳＬ回線を利用できないＡＤＳＬの通信契約（例えば、プランＪとする）を通信事業者と結んでいる。ユーザＢは、１８：００〜６：００までＡＤＳＬ回線を利用でき、他の時間帯にＡＤＳＬ回線を利用できないＡＤＳＬの通信契約（例えば、プランＫとする）を通信事業者と結んでいる。各ユーザは、ＡＤＳＬ回線を利用できない時間帯を含めて、全時間帯で通話を行うことができる。サービス提供先切り替えシステム２０は、ＡＤＳＬ回線のポートの１つ（例えば、回線Ｐ用のポート）に接続される電話回線を切り替えることによって、通信事業者は、回線Ｐを利用したインターネット接続サービスをユーザＡとユーザＢとの２人に提供することができる。
【００３０】
図３は、図１に示すサービス提供先切り替えシステムの構成および電話回線の接続状態の例を示すブロック図である。図３を参照して、サービス提供先切り替えシステム２０の構成を説明する。
【００３１】
サービス提供先切り替えシステム２０は、格納手段２１、計時手段２２、接続決定手段２３、制御回路２４および選択回路２５を含む。接続決定手段２３および制御回路２４は、例えば、プログラムに従って処理を実行するＣＰＵで実現される。なお、制御回路２４は、ＣＰＵを含む電子回路によって実現されてもよい。
【００３２】
なお、格納手段２１、計時手段２２および接続決定手段２３は、加入者交換局１３の外部に設置された装置に備えられていてもよい。
【００３３】
格納手段２１は、ＡＤＳＬ通信のインターネット接続サービスの提供をユーザに開始するタイミングと、ＡＤＳＬ通信の接続サービスの提供を停止するタイミングとを示すスケジュールを格納している。計時手段２２は、例えば、インターネット１４を介してＮＴＰ（Network Time Protocol ）サーバから時間情報を取得する。計時手段２２は、取得した時間情報にもとづいて、現在の時刻や曜日を示す情報を接続決定手段２３に提供する。
【００３４】
接続決定手段２３は、格納手段２１に格納されたスケジュールにもとづいて、ＡＤＳＬ通信のインターネット接続サービスの契約者のＡＤＳＬモデムに接続された電話回線のうち、どの契約者のＡＤＳＬモデムに接続された電話回線をＤＳＬＡＭ１８に接続させるかを決定する。接続決定手段２３は、格納手段２１に格納されたスケジュールと、計時手段２２によって提供される現在の時刻や曜日を示す情報とにもとづいて、どのＡＤＳＬモデムに接続された電話回線をＤＳＬＡＭ１８に接続させるかを決定する。
【００３５】
制御回路２４は、格納手段２１に格納されたスケジュールによって示されるＡＤＳＬ通信のインターネット接続サービスの提供をユーザに開始するタイミングで、接続決定手段２３の決定にもとづくＡＤＳＬモデムに接続された電話回線とＤＳＬＡＭ１８とを接続させるための制御信号を選択回路２５に入力する。また、制御回路２４は、格納手段２１に格納されたＡＤＳＬ通信の接続サービスの提供を停止するタイミングで、接続決定手段２３による決定にもとづくＡＤＳＬモデムに接続された電話回線と電話交換機１９とを接続させるための制御信号を選択回路２５に入力する。
【００３６】
選択回路２５は、ＡＤＳＬモデムに接続された電話回線の接続先を切り替えるスイッチを有する。選択回路２５は、制御回路２４が入力した制御信号に応じて各スイッチの接続状態を変更し、ＡＤＳＬモデム１６，１７に接続された電話回線と、ＤＳＬＡＭ１８または電話交換機１９とを接続する。
【００３７】
さらに、図３を参照して、ユーザＡにＡＤＳＬ通信のインターネット接続サービスが提供される場合における、サービス提供先切り替えシステム２０の電話回線の接続状態を説明する。図３には、図２に例示した６：００〜１８：００の時間帯において、プランＪを契約したユーザＡのＡＤＳＬモデム１６に接続された電話回線およびプランＫを契約したユーザＢのＡＤＳＬモデム１７に接続された電話回線の接続状態が示されている。つまり、図３に示す例では、ユーザＡのＡＤＳＬモデム１６に接続された電話回線がＤＳＬＡＭ１８に接続され、ユーザＢのＡＤＳＬモデム１７に接続された電話回線が電話交換機１９に接続されている。
【００３８】
図３に示す太い矢印は、ＡＤＳＬモデム１６，１７とＤＳＬＡＭ１８または電話交換機１９との間で送受信される信号の流れを示す。図３に示す例では、サービス提供先切り替えシステム２０の選択回路２５は、ＡＤＳＬモデム１６から電話回線を介して送信された信号がインターネット１４に接続されたＤＳＬＡＭ１８に入力され、ＤＳＬＡＭ１８が送信した信号が電話回線を介してＡＤＳＬモデム１６に送信されるように、ＡＤＳＬモデム１６に接続された電話回線とＤＳＬＡＭ１８とを接続している。
【００３９】
また、図３に示す例では、サービス提供先切り替えシステム２０の選択回路２５は、ＡＤＳＬモデム１６から電話回線を介して送信されてＤＳＬＡＭ１８に入力された信号のうち、電話帯域の信号がＤＳＬＡＭ１８を経由して電話回線網１５に接続された電話交換機１９に入力され、電話交換機１９が送信した信号がＤＳＬＡＭ１８に入力されるように、ＤＳＬＡＭ１８と電話交換機１９とを接続する。
【００４０】
また、サービス提供先切り替えシステム２０の選択回路２５は、ＡＤＳＬモデム１７から送信された信号がＤＳＬＡＭ１８を経由せずに電話交換機１９に入力されるように、ＡＤＳＬモデム１７に接続された電話回線と電話交換機１９とを接続する。
【００４１】
図３に示す電話回線の接続状態の場合に、ユーザＡは、ＡＤＳＬ通信によるデータ通信と通話とを行うことができる。ユーザＢは、ＡＤＳＬ通信によるデータ通信を行うことはできないが、通話を行うことはできる。
【００４２】
図４は、図１に示すサービス提供先切り替えシステムの電話回線の接続状態の他の例を示すブロック図である。図４を参照して、ユーザＢにＡＤＳＬ通信のインターネット接続サービスが提供される場合における、サービス提供先切り替えシステム２０の電話回線の接続状態を説明する。図４には、図２に例示した１８：００〜６：００の時間帯において、プランＪを契約したユーザＡのＡＤＳＬモデム１６に接続された電話回線およびプランＫを契約したユーザＢのＡＤＳＬモデム１７に接続された電話回線の接続状態が示されている。つまり、図４に示す例では、ユーザＢのＡＤＳＬモデム１７に接続された電話回線がＤＳＬＡＭ１８に接続され、ユーザＡのＡＤＳＬモデム１６に接続された電話回線が電話交換機１９に接続されている。
【００４３】
図４に示す太い矢印は、ＡＤＳＬモデム１６，１７とＤＳＬＡＭ１８または電話交換機１９との間で送受信される信号の流れを示す。図４に示す例では、サービス提供先切り替えシステム２０の選択回路２５は、ＡＤＳＬモデム１７から電話回線を介して送信された信号がＤＳＬＡＭ１８に入力され、ＤＳＬＡＭ１８が送信した信号が電話回線を介してＡＤＳＬモデム１７に送信されるように、ＡＤＳＬモデム１７に接続された電話回線とＤＳＬＡＭ１８とを接続している。
【００４４】
また、図４に示す例では、サービス提供先切り替えシステム２０の選択回路２５は、ＡＤＳＬモデム１７から電話回線を介して送信されてＤＳＬＡＭ１８に入力された信号のうち、電話帯域の信号がＤＳＬＡＭ１８を経由して電話回線網１５に接続された電話交換機１９に入力され、電話交換機１９が送信した信号がＤＳＬＡＭ１８に入力されるように、ＤＳＬＡＭ１８と電話交換機１９とを接続する。
【００４５】
また、サービス提供先切り替えシステム２０の選択回路２５は、ＡＤＳＬモデム１６から送信された信号がＤＳＬＡＭ１８を経由せずに電話交換機１９に入力されるように、ＡＤＳＬモデム１６に接続された電話回線と電話交換機１９とを接続する。
【００４６】
図４に示す電話回線の接続状態の場合に、ユーザＢは、ＡＤＳＬ通信によるデータ通信と通話とを行うことができる。ユーザＡは、ＡＤＳＬ通信によるデータ通信を行うことはできないが、通話を行うことはできる。
【００４７】
図５は、図１に示すサービス提供先切り替えシステムの動作の例を示すフローチャートである。図５を参照して、サービス提供先切り替えシステム２０が、ＡＤＳＬモデムに接続された電話回線とＤＳＬＡＭ１８または電話交換機１９とを接続する動作を説明する。
【００４８】
まず、接続決定手段２３は、計時手段２２によって提供される現在の時刻や曜日を示す情報と格納手段２１に格納されているスケジュールとにもとづいて、スケジュールに示されたＡＤＳＬ通信のインターネット接続サービスの提供を開始または停止するタイミングであるか否かを判断する（ステップＳ１１）。
【００４９】
インターネット接続サービスの提供を開始または停止するタイミングであった場合に（ステップＳ１１のＹ）、接続決定手段２３は、ＤＳＬＡＭ１８に接続する電話回線を決定する（ステップＳ１２）。例えば、ユーザＡにＡＤＳＬ通信のインターネット接続サービスの提供を開始するタイミングの場合には、ＤＳＬＡＭ１８に接続する電話回線を、ＡＤＳＬモデム１６に接続されている電話回線すなわちユーザＡの電話回線に決定する。
【００５０】
また、例えば、ユーザＡに対するＡＤＳＬ通信のインターネット接続サービスの提供を停止するタイミングでユーザＢにＡＤＳＬ通信のインターネット接続サービスの提供を開始するタイミングの場合には、ＤＳＬＡＭ１８に接続する電話回線を、ＡＤＳＬモデム１７に接続されている電話回線すなわちユーザＢの電話回線に決定する。なお、接続決定手段２３は、ステップＳ１２の処理で、ＡＤＳＬモデム１６を電話交換機１９に接続すると決定してもよい。
【００５１】
制御回路２４は、接続決定手段２３によって決定された電話回線をＤＳＬＡＭ１８に接続することを示す制御信号を選択回路２５に出力する（ステップＳ１３）。なお、制御回路２４は、ＤＳＬＡＭ１８に接続させないＡＤＳＬモデムを電話交換機１９に接続することを示す制御信号を選択回路２５に出力してもよい。選択回路２５は、入力された制御信号に従ってスイッチの接続状態を切り替える（ステップＳ１４）。
【００５２】
本実施形態によれば、サービス提供先切り替えシステム２０が、時間帯に応じてＤＳＬＡＭ１８に接続するＡＤＳＬモデムの電話回線を切り替えることによって、１つのＡＤＳＬ回線を利用して２人のユーザにインターネット接続サービスを提供することができる。よって、通信事業者は、ＤＳＬＡＭ１８のポート数を超える数のユーザとＡＤＳＬの通信契約を結ぶことができる。
【００５３】
図６は、１つのＡＤＳＬ回線を利用して複数のユーザにインターネット接続サービスを提供する場合の例を示す説明図である。
【００５４】
図６（Ａ）に示す例では、ＤＳＬＡＭのポート数と同じ数のユーザと通信事業者との間でＡＤＳＬの通信契約が結ばれているので、通信事業者は、新たなユーザとＡＤＳＬの通信契約を結ぶことができない。
【００５５】
図６（Ｂ）に示す例では、加入者交換局にサービス提供先切り替えシステムが設置されている。従って、通信事業者は、ＤＳＬＡＭのポート数と同じ数のユーザとＡＤＳＬの通信契約を結んでいたとしても、新たなユーザとＡＤＳＬの通信契約を結ぶことができる。すなわち、通信事業者は、時間帯を限定して、加入者交換局のＤＳＬＡＭのポート数よりも多くのユーザとＡＤＳＬの通信契約を結ぶことができる。
【００５６】
また、通信事業者は、ＡＤＳＬ回線のポート数を追加する等の設備投資を行う必要がないので、より少額の費用で、新たなユーザとＡＤＳＬの通信契約を結ぶことができる。さらに、通信事業者は、インターネット接続サービスを提供する時間帯を限定することによって、接続サービスを終日提供するＡＤＳＬの通信契約よりも料金を安価に設定したＡＤＳＬの通信契約をユーザに提示して、新たな顧客を獲得することができる。
【００５７】
実施形態２．
本発明の第２の実施形態（実施形態２）のサービス提供先切り替えシステムについて説明する。第２の実施形態のサービス提供先切り替えシステムは、ＡＤＳＬモデムに接続された電話回線の接続先を曜日に応じて切り替える。第２の実施形態のサービス提供先切り替えシステムを含む通信モデルの構成は、図１に示す通信モデルの構成と同様である。
【００５８】
図７は、１つのＡＤＳＬ回線を曜日に応じて２人のユーザが利用する例を示す説明図である。ユーザＡは、月曜日〜金曜日までＡＤＳＬ回線を利用でき、他の曜日にＡＤＳＬ回線を利用できないＡＤＳＬの通信契約（例えば、プランＭとする）を通信事業者と結んでいる。ユーザＢは、土曜日および日曜日にＡＤＳＬ回線を利用でき、他の曜日にＡＤＳＬ回線を利用できないＡＤＳＬの通信契約（例えば、プランＮとする）を通信事業者と結んでいる。各ユーザは、ＡＤＳＬ回線を利用できない曜日を含めて、毎日通話を行うことができる。
【００５９】
ユーザＡがプランＭのＡＤＳＬの通信契約を結び、ユーザＢがプランＮのＡＤＳＬの通信契約を結んでいるとき、サービス提供先切り替えシステム２０が、ＡＤＳＬ回線のポートの１つ（例えば、回線Ｐ用のポート）に接続される電話回線を切り替えることによって、通信事業者は、回線Ｐを利用したインターネット接続サービスをユーザＡとユーザＢとの２人に提供することができる。
【００６０】
図７に示す例では、月曜日から金曜日は、接続決定手段２３はユーザＡのＡＤＳＬモデム１６に接続された電話回線をＤＳＬＡＭ１８に接続させると決定する。制御回路２４は、接続決定手段２３の決定に応じた制御信号を月曜日の０：００に選択回路２５に入力する。選択回路２５は、制御回路２４が入力した制御信号に従って電話回線の接続状態を図３に示す接続状態にする。すると、プランＭを契約したユーザＡは、ＡＤＳＬ通信によるデータ通信と通話とを行うことができる。プランＮを契約したユーザＢは、ＡＤＳＬ通信によるデータ通信を行うことはできないが、通話を行うことはできる。
【００６１】
また、図７に示す例では、土曜日および日曜日は、接続決定手段２３はユーザＢのＡＤＳＬモデム１７に接続された電話回線をＤＳＬＡＭ１８に接続させると決定する。制御回路２４は、接続決定手段２３の決定に応じた制御信号を土曜日の０：００に選択回路２５に入力する。選択回路２５は、制御回路２４が入力した制御信号に従って電話回線の接続状態を図４に示す接続状態にする。すると、プランＮを契約したユーザＢは、ＡＤＳＬ通信によるデータ通信と通話とを行うことができる。プランＭを契約したユーザＡは、ＡＤＳＬ通信によるデータ通信を行うことはできないが、通話を行うことはできる。
【００６２】
本実施形態によれば、サービス提供先切り替えシステム２０が、曜日によってＤＳＬＡＭ１８に接続するＡＤＳＬモデムの電話回線を切り替えることによって、１つのＡＤＳＬ回線を利用して２人のユーザにインターネット接続サービスを提供することができる。よって、通信事業者は、ＤＳＬＡＭ１８のポート数を超える数のユーザとＡＤＳＬの通信契約を結ぶことができる。
【００６３】
なお、サービス提供先切り替えシステム２０は、曜日と時間帯とが組み合わされたスケジュールにもとづいて、ＤＳＬＡＭ１８に接続するＡＤＳＬモデムの電話回線を切り替えてもよい。
【００６４】
実施形態３．
図８は、本発明の第３の実施形態（実施形態３）のサービス提供先切り替えシステムを含む通信モデルの構成例を示すブロック図である。図８を参照して、本発明の第３の実施形態のサービス提供先切り替えシステムについて説明する。
【００６５】
図８に示す通信モデルでは、サービス提供先切り替えシステム４２に、それぞれ電話回線を介してＡＤＳＬモデム３５，３６，３７，３８が接続されている。また、サービス提供先切り替えシステム４２には、ＤＳＬＡＭ１８、および電話交換機１９が接続されている。
【００６６】
ＡＤＳＬモデム３５は、ユーザ宅３１に設置されている。ＡＤＳＬモデム３６は、ユーザ宅３２に設置されている。ＡＤＳＬモデム３７は、ユーザ宅３３に設置されている。ＡＤＳＬモデム３８は、ユーザ宅３４に設置されている。ＡＤＳＬモデム３５を利用するユーザＡ、ＡＤＳＬモデム３６を利用するユーザＢ、ＡＤＳＬモデム３７を利用するユーザＣおよびＡＤＳＬモデム３８を利用するユーザｎは、通信事業者とＡＤＳＬの通信契約を結んでいる。
【００６７】
ＤＳＬＡＭ１８、電話交換機１９およびサービス提供先切り替えシステム４２は、加入者交換局４１に設置される。加入者交換局４１は、通信事業者によって管理される。
【００６８】
サービス提供先切り替えシステム４２は、図３に示すサービス提供先切り替えシステム２０の構成に相当する格納手段、計時手段、接続決定手段、制御回路および選択回路を含む。
【００６９】
サービス提供先切り替えシステム４２は、格納手段に格納されたスケジュールに従って、複数のユーザ宅に設置されたそれぞれのＡＤＳＬモデムに接続された電話回線とＤＳＬＡＭ１８または電話交換機１９とを接続する。つまり、サービス提供先切り替えシステム４２は、ＡＤＳＬモデムに接続された電話回線をＤＳＬＡＭ１８または電話交換機１９のいずれか一方に接続する。また、ＤＳＬＡＭ１８が送信した電話帯域の信号は、サービス提供先切り替えシステム４２を介して電話交換機１９に送信される。
【００７０】
サービス提供先切り替えシステム４２は、ＡＤＳＬモデム３５に接続された電話回線をＤＳＬＡＭ１８に接続する場合には、ＡＤＳＬモデム３６，３７，３８に接続された電話回線を電話交換機１９に接続する。
【００７１】
なお、サービス提供先切り替えシステム４２の接続決定手段は、ＤＳＬＡＭが有するＡＤＳＬ回線のポート数を超えない範囲であれば、格納手段に格納されているスケジュールにもとづいて、所定の複数のＡＤＳＬモデムをＤＳＬＡＭ１８に接続し、他のＡＤＳＬモデムを電話交換機１９に接続する決定をしてもよい。
【００７２】
そして、制御回路は、接続決定手段の決定にもとづいて、所定の複数のＡＤＳＬモデムの電話回線とＤＳＬＡＭ１８とを接続させ、他のＡＤＳＬモデムの電話回線と電話交換機１９とを接続することを示す制御信号を選択回路に入力する。選択回路は、制御回路が入力した制御信号に応じて各スイッチの接続状態を変更し、各ＡＤＳＬモデムとＤＳＬＡＭ１８または電話交換機１９とを接続する。
【００７３】
なお、サービス提供先切り替えシステム４２が複数のＡＤＳＬモデムの接続先を切り替える場合には、図３に示す選択回路２５の構成を変更してもよい。具体的には、例えばスイッチの個数を増やす等する。
【００７４】
図９は、１つのＡＤＳＬ回線を時間帯に応じて３人のユーザが利用する例を示す説明図である。ユーザＡは、０：００〜９：００までＡＤＳＬ回線を利用でき、他の時間帯にＡＤＳＬ回線を利用できないＡＤＳＬの通信契約（例えば、プランＸとする）を通信事業者と結んでいる。ユーザＢは、９：００〜１８：００までＡＤＳＬ回線を利用でき、他の時間帯にＡＤＳＬ回線を利用できないＡＤＳＬの通信契約（例えば、プランＹとする）を通信事業者と結んでいる。ユーザＣは、１８：００〜２４：００までＡＤＳＬ回線を利用でき、他の時間帯にＡＤＳＬ回線を利用できないＡＤＳＬの通信契約（例えば、プランＺとする）を通信事業者と結んでいる。
【００７５】
各ユーザは、ＡＤＳＬ回線を利用できない時間帯を含めて、全時間帯で通話を行うことができる。通信事業者との間で、ユーザＡがプランＸのＡＤＳＬの通信契約を結び、ユーザＢがプランＹのＡＤＳＬの通信契約を結び、ユーザＣがプランＺのＡＤＳＬの通信契約を結んでいる場合に、サービス提供先切り替えシステム４２がＡＤＳＬ回線のポートの１つ（例えば、回線Ｐ用のポート）に接続される電話回線を切り替えることによって、通信事業者は、回線Ｐを利用したインターネット接続サービスをユーザＡ、ユーザＢおよびユーザＣの３人に提供することができる。
【００７６】
本実施形態によれば、サービス提供先切り替えシステム４２が、時間帯によってＤＳＬＡＭ１８に接続するＡＤＳＬモデムの電話回線を切り替えることによって、１つのＡＤＳＬ回線を利用して複数のユーザにインターネット接続サービスを提供することができる。よって、通信事業者は、ＤＳＬＡＭ１８のポート数を超える数のユーザとＡＤＳＬの通信契約を結ぶことができる。
【００７７】
そして、通信事業者は、加入者交換局のＤＳＬＡＭのポート数と同じ数のユーザとＡＤＳＬの通信契約を結んでいたとしても、新たなユーザとＡＤＳＬの通信契約を結ぶことができる。
【００７８】
また、第３の実施形態のサービス提供先切り替えシステム４２は、曜日と時間帯とが組み合わされたスケジュールにもとづいて、ＤＳＬＡＭ１８に接続するＡＤＳＬモデムの電話回線を切り替えてもよい。通信事業者は、このようなサービス提供先切り替えシステムを用いて、接続サービスを提供する時間を柔軟に設定したＡＤＳＬの通信契約をユーザに提示することができる。
【００７９】
なお、上記の各実施形態では、ＡＤＳＬについて説明を行ったが、本発明は、ディジタル加入者線（ＤＳＬ）全般について適用可能である。
【００８０】
図１０は、本発明によるサービス提供先切り替えシステムの主要部を示すブロック図である。図１０に示すように、サービス提供先切り替えシステム（例えば、図１に示すサービス提供先切り替えシステム２０に相当）は、複数のインターネット接続サービスの契約者に対するインターネット接続サービス（例えば、ＡＤＳＬ通信サービス）の提供を開始するタイミングとサービスの提供を停止するタイミングとを示すスケジュールが格納された格納手段１（例えば、図３に示す格納手段２１に相当）と、格納手段１に格納されたスケジュールにもとづいて、複数のサービスの契約者の加入者線のうち、インターネット（例えば、図１に示すインターネット１４に相当）に接続されるディジタル加入者線収容機器に接続させる加入者線を決定する接続決定手段２（例えば、図３に示す接続決定手段２３に相当）と、接続決定手段２の決定にもとづいて、加入者線とディジタル加入者線収容機器４（例えば、図１に示すＤＳＬＡＭ１８に相当）とを接続する接続手段５（例えば、図３に示す選択回路２５に相当）とを備えるように構成されている。
【００８１】
また、上記の各実施形態では、以下の（１）〜（４）に示すようなサービス提供先切り替えシステムも開示されている。
【００８２】
（１）格納手段に格納されたスケジュールによって示されるインターネット接続サービスの提供を開始するタイミングで、接続決定手段がディジタル加入者線収容機器に接続させると決定した加入者線とディジタル加入者線収容機器とを接続させる指示（例えば、制御信号）を接続手段に入力する制御手段（例えば、図３に示す制御回路２４に相当）を含むサービス提供先切り替えシステム（例えば、ステップＳ１３において、制御回路２４が、接続決定手段２３によって決定された電話回線をＤＳＬＡＭ１８に接続することを示す制御信号を出力する動作によって実現される。）。
【００８３】
（２）制御手段は、格納手段に格納されたスケジュールによって示されるインターネット接続サービスの提供を停止するタイミングで、接続手段によってディジタル加入者線収容機器に接続されている加入者線の接続先を電話回線網（例えば、図１に示す電話回線網１５に相当）に接続されている電話交換機（例えば、図１に示す電話交換機１９に相当）に切り替える指示を接続手段に入力するサービス提供先切り替えシステム（例えば、ステップＳ１３において、制御回路２４が、ＤＳＬＡＭ１８に接続させない電話回線を電話交換機１９に接続することを示す制御信号を出力する動作によって実現される。）。
【００８４】
（３）接続手段は、接続決定手段がディジタル加入者線収容機器に接続させると決定した加入者線以外の加入者線と、電話回線網に接続されている電話交換機とを接続するサービス提供先切り替えシステム。
【００８５】
（４）接続手段は、ディジタル加入者線収容機器に接続された加入者線を介して送信された音声信号を電話回線網に接続されている電話交換機に入力するサービス提供先切り替えシステム。
【００８６】
（付記１）コンピュータに、制御処理で、格納手段に格納されたスケジュールによって示されるインターネット接続サービスの提供を停止するタイミングで、接続手段によってディジタル加入者線収容機器に接続されている加入者線の接続先を電話回線網に接続されている電話交換機に切り替える指示を接続手段に入力させるサービス提供先切り替えプログラム。
【００８７】
（付記２）格納手段に格納されたスケジュールによって示されるインターネット接続サービスの提供を停止するタイミングで、ディジタル加入者線収容機器に接続されている加入者線の接続先を電話回線網に接続されている電話交換機に切り替えるサービス提供先切り替え方法。
【符号の説明】
【００８８】
１  格納手段
２  接続決定手段
４  ディジタル加入者線収容機器
５  接続手段
１１，１２，３１，３２，３３，３４，５１，５２  ユーザ宅
１３，４１，５３  加入者交換局
１４，５４  インターネット
１５，５５  電話回線網
１６，１７，３５，３６，３７，３８，５６，５７  非対称ディジタル加入者線モデム
１８，５８  ディジタル加入者線収容機器
１９，５９  電話交換機
２０，４２  サービス提供先切り替えシステム
２１  格納手段
２２  計時手段
２３  接続決定手段
２４  制御回路
２５  選択回路
【図１】
2011142461.tif 000003
【図２】
2011142461.tif 000004
【図３】
2011142461.tif 000005
【図４】
2011142461.tif 000006
【図５】
2011142461.tif 000007
【図６】
2011142461.tif 000008
【図７】
2011142461.tif 000009
【図８】
2011142461.tif 000010
【図９】
2011142461.tif 000011
【図１０】
2011142461.tif 000012
【図１１】
2011142461.tif 000013
【図１２】
2011142461.tif 000014